(57)【要約】【課題】ベースにレールを挟み込んで走行するローラを備えたコンクリートカッターにおいて、ローラの間隔が拡がるようなことがあっても、ブレードが斜めに切り込まれてセリが発生することのないように、スムーズで安定した切断が行えるようにすると共に、ローラとレールとの摩擦を少なくしてカッターのガタ付きを少なくし、切断精度を長期にわたって維持することができるようにする。【解決手段】ローラ２４は、入口が広く、溝底に向かって漸次狭くなる台形断面の環状溝を有し、レール２２上面の左右両端より側方に突出するプレート状のレール部２３に嵌合して環状溝の側面とレール部２３のエッジが点接触した状態で走行する。【選択図】図８
2006068935.tif 000002
【特許請求の範囲】
【請求項１】
コンクリート等の被削材に固定されるレールを挟み込む一対のローラをレールの長手方向に沿って適宜の間隔で設け、レールに沿って走行するベースと、モータによって回転駆動されるブレードを有し、ベースをレールに沿って走行させながらブレードを回転駆動して被削材をレールに沿って切断するコンクリートカッターにおいて、上記レールが該レールと一体をなして側方に突出するプレート状のレール部を有し、上記ローラが入口が広く、溝底に向かって漸次狭くなる環状溝を有してレール部に側方より嵌合すると共に、環状溝の溝底がレール部の厚みと同じか、これより僅かに幅広となっていることを特徴とするコンクリートカッター。
【請求項２】
コンクリート等の被削材に固定されるレールに走行可能に装着されるベースと、該レールに添設されるラックと噛合するピニオン及び該ピニオンを回転駆動する送りモータを有する送り装置と、ブレード用モータによって回転駆動されるブレードを有し、ベースをレールに沿って走行させながらブレードを回転駆動して被削材をレールに沿って切断するコンクリートカッターにおいて、上記送り装置を取付けるための取付部をレールの長手方向に沿ってベースの両側に設けると共に、上記送り装置を両取付部のいずれかの取付部に取外し可能に取付ける取付手段を有することを特徴とするコンクリートカッター。
【請求項３】
現場の状況に応じて両取付部への送り装置の付け替えを行うことを特徴とする請求項２記載のコンクリートカッターの使用方法。
【発明の詳細な説明】
【技術分野】
【０００１】
本発明は、コンクリートの床や壁等（以下、単に「被削材」という）を切断したり、被削材に配管工事や耐震補強工事等のため、溝やスリットを形成するのに用いられるコンクリートカッター（以下、単に「カッター」ということもある）と、その使用方法に関する。
【背景技術】
【０００２】
図１は、被削材１５に固定されるレール２上に走行可能に装着されるコンクリートカッター１について示すもので、レール２上に走行可能に装着されるベース３と、レール２の長手方向に一定の間隔を存してベース３より縦設される一対の支柱４ａ及び支柱上端を連結する梁状の取付部４ｂよりなる門形の支持枠４と、該支持枠４の取付部４ｂより垂下し、ハンドル５の回動操作により回転するネジ棒６と、支持枠４の支柱４ａに昇降可能に支持され、ネジ棒６に螺着のナット（図示しない）を有して、ネジ棒６の回転によって昇降する台７と、該台７に取着される減速機付きモータ（図示しない）と、該モータによって回転駆動されるブレード８と、コンクリートカッター１をレール２に沿って走行させる送り装置９よりなり、ベース３には図２に示すように、レール２両側の菱形部分２ａのコーナ部に嵌合するＶ形溝を備え、菱形部分２ａを転動するローラ１１を有し、また送り装置９はベース２の一側に固定され、レール２に添設されるラック１０と噛合するピニオン１２と、該ピニオン１２を回転駆動する送りモータ１３を有している。
【０００３】
コンクリートカッター１は以上のように構成され、モータを起動してブレード８を回転させ、かつハンドル５操作によりブレード８を押下げて被削材１５に押付け、更に送りモータ１３によりカッター１をレール２に沿い走行させることにより回転するブレード８で被削材１５をレール２に沿って切断するようになっている。
こうしたコンクリートカッターの関連技術が下記特許文献１及び２に開示されている。
【特許文献１】特開平９−３００３４０号
【特許文献２】特開２００４−１４８６９２号
【発明の開示】
【発明が解決しようとする課題】
【０００４】
図２に示すローラ１１は、使用に伴う回転軸の磨耗等によりローラ１１間の間隔が拡がると、レール２の菱形部分２ａとローラ１１間には、図３に示すように横方向に間隔δ１が形成されるとともに、上下に隙間δ２がそれぞれ形成されるようになる。Ｖ形溝の角度が９０°の場合、δ１＝δ２で、δ２は菱形部分２ａのコーナの上下に形成されるため、図４及び図５に示すように、上下の隙間２δ２は横方向の隙間δ１の２倍となる。この結果、カッター１が図４及び図５に示す隙間２δ２の範囲内で傾きうるようになり、カッター１が傾くと、ブレード８が被削材に斜めに切り込まれ、ブレードが被削材の切断面と擦れ合う、いわゆるセリが発生し、スムースで安定した切断ができなくなる。
【０００５】
また図６に示すＡ点とＢ点では、ローラ１１の回転中心からの距離が異なり、周速も異なるため、ローラ１１がレール２の菱形部分２ａを転動する場合、ローラ１１と菱形部分２ａが最も強く接している部分を除いてはスリップしている状態となる。つまり理想的な転がり摩擦ではなく、滑り摩擦の抵抗が含まれた転がりとなり、これにより走行力にロスを生ずるばかりでなく、滑り摩擦によって磨耗を生じ、その結果、ローラ１１とレール２の菱形部分２ａとの間のクリアランスが増加し、カッター１がガタ付いて切断精度の維持が困難となる。
【０００６】
カッター１はまた、図１に示すように、レール端まで移動させようとする場合、送り装置９はレール端まで移動できてもカッター１は送り装置９分レール端より離れ、走行ストロークのロスｌを生ずる。
【０００７】
送り装置９はまた、ピニオン１２の回転を止めることによりカッター１をレール２上に固定することができるが、図７に示すようにレール２を壁などの被削材に垂直に取付けた場合、送り装置９が下側にある場合には、ピニオン１２がラック１０より外れたとき、カッター１がレール上に残っていても、ピニオン１２を固定できないため、カッター１がレール２端より外れて落下するようになる。
【０００８】
本発明の第１の目的は、ローラの間隔が拡がるようなことがあっても、ブレードが斜めに切り込まれてセリが発生することのないように、スムーズで安定した切断が行えるようにすると共に、ローラとレールとの摩擦を少なくしてカッターのガタ付きを少なくし、切断精度を長期にわたって維持することができるコンクリートカッターを提供しようとするものであり、
第２の目的は、走行ストロークのロスを少なくし、壁などの垂直な被削材を切断するような場合でも、カッターがレール端より外れて落下する危険性を少なくしたコンクリートカッターと、その使用方法を提供しようとするものである。
【課題を解決するための手段】
【０００９】
請求項１に係わる発明は、第１の目的を達成するコンクリートカッターに関するもので、  コンクリート等の被削材に固定されるレールを挟み込む一対のローラをレールの長手方向に沿って適宜の間隔で設け、レールに沿って走行するベースと、モータによって回転駆動されるブレードを有し、ベースをレールに沿って走行させながらブレードを回転駆動して被削材をレールに沿って切断するコンクリートカッターにおいて、上記レールが該レールと一体をなして側方に突出するプレート状のレール部を有し、上記ローラが入口が広く、溝底に向かって漸次狭くなる環状溝を有してレール部に側方より嵌合すると共に、環状溝の溝底がレール部の厚みと同じか、これより僅かに幅広となっていることを特徴とするものである。
【００１０】
請求項２に係わる発明は、第２の目的を達成するコンクリートカッターに関するもので、コンクリート等の被削材に固定されるレールに走行可能に装着されるベースと、上記レールに添設されるラックと噛合するピニオン及び該ピニオンを回転駆動する送りモータを有する送り装置と、ブレード用モータによって回転駆動されるブレードを有し、ベースをレールに沿って走行させながらブレードを回転駆動して被削材をレールに沿って切断するコンクリートカッターにおいて、上記送り装置を取付けるための取付部をレールの長手方向に沿ってベースの両側に設けると共に、上記送り装置を両取付部のいずれかの取付部に取外し可能に取付ける取付手段を有することを特徴とするものである。
【００１１】
本発明における取付手段としては、送り装置をベース両側の取付部に取外し可能に取付けることのできるものであればよく、その種類は問わないが、あえて例示すれば、ボルトやナットなどの止具が挙げられる。
【００１２】
請求項３に係わる発明は、請求項２に係わるコンクリートカッターの使用方法に関するもので、現場の状況に応じて両取付部への送り装置の付け替えを行うことを特徴とする。
【発明の効果】
【００１３】
請求項１に係わる発明のローラは、図８に示すように入口が広く、溝底に向かって漸次狭くなる、例えば断面台形の環状溝２１を有し、該溝２１にレール２２と一体をなし、レール２２より側方に突出するプレート状のレール部２３を側方より嵌合し、環状溝２１の溝底は、レール部２３の厚みと同じか、これより僅かに幅広となっている。したがってローラ２４は、環状溝２１の溝側面でレール部２３のエッジと点接触して転動し（溝底がレール部２３の厚みと同じ幅である場合、溝底もレール部側面に線接触して転動する）、レール２２に沿い走行する。このためローラ２４は、レール部２３と転がり摩擦して滑り摩擦することはなく、そのために走行力にロスが生じないばかりでなく、滑り摩擦による磨耗もなく、磨耗によるカッターのガタ付きがなく、切断精度が長期にわたって維持される。
【００１４】
またローラの回転軸の磨耗等によってローラ２４間の間隔が拡がり、図９に示すように環状溝２１の溝底がレール部側面よりｃだけ離れるようなことがあっても、溝側面と水平線のなす角θは数度、例えば１〜５度程度と小さいため、上下方向の間隔ｄもｃに比べて小さくなり（ｄ≪ｃ）、したがってコンクリートカッターが傾きうる範囲も小さくなってセリが発生しにくく、スムースで安定した切断が行える。
【００１５】
更にまた、図１０に示すように、環状溝２５の溝幅が一定であると、レール部２３が反っている場合、環状溝２５の溝縁のエッジがレール部２３に干渉して食い込み、スムースな走行が困難となったり、環状溝２５の溝縁のエッジやレール部２３が損傷し、或いはまたレール部２３が溝２５から出ようとしてローラ２４がレール部２３に乗り上がろうとし、ローラ２４に余分な荷重が掛かってスムースな走行をより一層困難にするなどの問題があるのに対し、図１１に示すように環状溝２１が例えば断面台形で、溝入口に向かってテーパ状に広くなっていると、レール部２３が反っていても環状溝２１の溝縁のエッジがレール部２３に干渉して食い込むことはなく、したがって環状溝２１の溝縁のエッジやレール部２３が損傷したり、スムースな走行が損なわれることもない。
【００１６】
請求項２に係わる発明によると、送り装置は、現場の状況に応じてベース両側のいずれかの取付部に取付けられるようになっているもので、したがって図１に示すように、送り装置９がレール端に達したとき走行ストロークのロスｌを生ずる場合には、図１２又は図１３に示すように送り装置９をベース３を挟んだ反対側の取付部に付け換えることによりカッター１をレール端まで移動させることができ、上述するロスｌを解消することができる。
【００１７】
またカッターを壁などの被削材に取付ける際、送り装置のピニオンがラックより外れてカッターが落下する危険性がある場合には、図１４に示すように送り装置９を上側に付け換える。ピニオンラックに最後まで噛み合い、噛み合っている限りピニオンの固定によりカッターを固定して落下の危険性を少なくすることができる。
【００１８】
請求項３に係わる発明の方法によると、請求項２に係わる発明と同様の効果を奏することができる。
【発明を実施するための最良の形態】
【００１９】
図１５は、本発明に係わるコンクリートカッター３１の正面図であり、図１６は同側面図で、図１に示すコンクリートカッター１と異なる点の第１は、ベース３の送り装置９を取付ける取付部３２がベース３の左右両側に設けられ、送り装置９が左右いずれかの取付部３２に取着手段としてのボルト３３によって取外し可能に取付けられるようになっていることで、これにより図１２〜図１４に示し、前述したように、現場の状況に応じて送り装置９の付け換えが行われるようになっていることである。
【００２０】
第２は、図８に示すようにレール２２上面の左右両端にプレート状のレール部２３を固定して側方に突出させ、該突出部に図８に示す構造のローラ２４を嵌合させてなるものである。図中、３５はブレード８を回転駆動する減速機付きモータである。
【産業上の利用可能性】
【００２１】
本発明のコンクリートカッターは、コンクリート構造物の壁、床、天井等に溝や孔を開けるのに使用することができる。
【図面の簡単な説明】
【００２２】
【図１】従来のコンクリートカッターの正面図。
【図２】レールに走行可能に装着されるベースに取付けられるローラとレールとの従来例を示す図。
【図３】図２に示すローラの間隔が拡がったときのレールとの関係を示す説明図。
【図４】図３に示すローラが上がったときの状態を示す図。
【図５】図３に示すローラが下がった時の状態を示す図。
【図６】図３に示すローラがレール部を走行するときの状態を示す図。
【図７】カッターを壁に取付けたときの状態を示す図。
【図８】本発明に係わるカッターのベースに設けられるローラの正面図。
【図９】図８に示すローラの間隔が拡がったときのレールとの関係を示す図。
【図１０】環状溝の溝幅が一定であるローラを反ったレール部に装着したときの状態を示す図。
【図１１】図８に示すローラを反ったレール部に装着したときの状態を示す図。
【図１２】送り装置をベース部の右側に取付けたカッターの正面図。
【図１３】送り装置をベース部の左側に取付けたカッターの正面図。
【図１４】壁に取付けたカッターの正面図。
【図１５】本発明に係わるカッターの正面図。
【図１６】同側面図。
【符号の説明】
【００２３】
１、３１・・コンクリートカッター
２、２２・・レール
３・・ベース
４・・支持枠
５・・ハンドル
６・・ネジ棒
７・・台
８・・ブレード
９・・送り装置
１０・・ラック
１１、２４・・ローラ
１２・・ピニオン
１３・・送りモータ
１５・・被削材
２１、２５・・環状溝
２３・・レール部
３２・・取付部
３３・・ボルト
３５・・減速機付きモータ
【図１】
2006068935.tif 000003
【図２】
2006068935.tif 000004
【図３】
2006068935.tif 000005
【図４】
2006068935.tif 000006
【図５】
2006068935.tif 000007
【図６】
2006068935.tif 000008
【図７】
2006068935.tif 000009
【図８】
2006068935.tif 000010
【図９】
2006068935.tif 000011
【図１０】
2006068935.tif 000012
【図１１】
2006068935.tif 000013
【図１２】
2006068935.tif 000014
【図１３】
2006068935.tif 000015
【図１４】
2006068935.tif 000016
【図１５】
2006068935.tif 000017
【図１６】
2006068935.tif 000018